(57)【特許請求の範囲】
【請求項１】
金銭に換えて使用するポイントを送受信することによってオークションを運営する、オークション主催者が利用者端末から取得したポイントを保存するポイント保存部を備えた前記オークション主催者が操作するＷＷＷサーバと、前記ＷＷＷサーバと接続され、オークションの利用者が落札した商品の代価として落札者から出品者に受け渡すために保有しているポイントを保存するポイント保存部を備えた前記利用者が操作する利用者端末と、前記ポイントを金銭に両替する両替者が操作する両替者端末と、によって実行される前記ポイントを金銭に両替する際に、両替において生じた損失の補填に用いることができるポイントをオークション主催者が両替の手数料として取得することができるオークション主催者の手数料取得方法であって、
前記利用者端末が、前記利用者端末のポイント保存部に保存されたポイントの少なくとも一部のポイントを前記ポイント保存部から減じるとともに、前記少なくとも一部のポイントを前記ＷＷＷサーバに送信するステップと、
前記ＷＷＷサーバが、前記利用者端末から受信したポイントから、前記オークション主催者の受け取る手数料であって両替において生じた損失の補填に用いることができるポイントを減じたポイントを、前記利用者端末からポイントを送信した利用者を特定する情報とともに、前記両替者端末に送信するステップと、
前記ＷＷＷサーバが、前記利用者端末から受信したポイントのうち、前記オークション主催者の受け取る手数料に対応するポイントを、前記ＷＷＷサーバのポイント保存部に保存するステップと、
前記両替者端末が、前記ＷＷＷサーバから、前記手数料に対応するポイントを減じたポイントと前記利用者を特定する情報とを受信するステップと、
前記ＷＷＷサーバが、前記利用者端末から両替のためのポイントが送信されたものの前記両替者から前記利用者に前記ポイントを両替した金銭が引き渡されなかった場合に、前記ＷＷＷサーバのポイント保存部に保存されたポイントの少なくとも一部を、前記両替者から引き渡されなかった金銭に代えて、前記利用者端末に送信するステップと、
を有することを特徴とするオークションにおける手数料取得方法。
【請求項２】
金銭に換えて使用するポイントを送受信することによってオークションを運営する、オークション主催者が両替者端末から取得したポイントを保存するポイント保存部を備えた前記オークション主催者が操作するＷＷＷサーバと、前記ＷＷＷサーバと接続され、オークションの利用者が落札した商品の代価として落札者から出品者に受け渡すために保有しているポイントを保存するポイント保存部を備えた前記利用者が操作する利用者端末と、前記ポイントを金銭に両替する両替者が操作する両替者端末と、によって実行される前記ポイントを金銭に両替する際に、両替において生じた損失の補填に用いることができるポイントをオークション主催者が両替の手数料として取得することができるオークション主催者の手数料取得方法であって、
前記両替者端末が、前記利用者端末を操作する利用者から引き渡された金銭を両替したポイントを、前記利用者を特定する情報とともに、前記ＷＷＷサーバに送信するステップと、
前記ＷＷＷサーバが、前記両替者端末から受信したポイントから、前記オークション主催者の受け取る手数料に対応するポイントを減じたポイントを、前記利用者を特定する情報により特定される前記利用者端末に送信するステップと、
前記ＷＷＷサーバが、前記両替者端末から受信したポイントのうち、前記オークション主催者の受け取る手数料であって両替において生じた損失の補填に用いることができるポイントを、前記ＷＷＷサーバのポイント保存部に保存するステップと、
前記利用者端末が、前記ＷＷＷサーバから、前記手数料に対応するポイントを減じたポイントを受信して、前記利用者端末のポイント保存部に保存するステップと、
前記ＷＷＷサーバが、前記利用者から両替のための金銭が引き渡されたものの前記両替者端末から前記金銭を両替したポイントが送信されなかった場合に、前記ＷＷＷサーバのポイント保存部に保存されたポイントの少なくとも一部を、前記両替者から送信されなかったポイントに代えて、前記利用者端末に送信するステップと、
を有することを特徴とするオークションにおける手数料取得方法。
【請求項３】
金銭に換えて使用するポイントを送受信することによって運営されるオークションにおいて、前記ポイントを金銭に両替する際に、両替において生じた損失の補填に用いることができるポイントをオークション主催者が両替の手数料として取得することができるオークション主催者の手数料を取得するＷＷＷサーバであって、
オークションの利用者が落札した商品の代価として落札者から出品者に受け渡すために保有しているポイントを保存するポイント保存部を備えた前記利用者が操作する利用者端末から、前記ポイント保存部に保存されたポイントから減じられたポイントを受信するポイント受信手段と、
前記ポイント受信手段が受信したポイントから、前記オークションの主催者の受け取る手数料であって両替において生じた損失の補填に用いることができるポイントを減じたポイントを、前記利用者端末からポイントを送信した利用者を特定する情報とともに、前記ポイントを金銭に両替する両替者が操作する両替者端末に送信するポイント送信手段と、
前記ポイント受信手段が受信したポイントのうち、前記オークションの主催者の受け取る手数料に対応するポイントを、前記オークション主催者が前記利用者端末から取得したポイントを保存するポイント保存部に加算するポイント加算手段と、
前記利用者端末から両替のためのポイントが送信されたものの前記両替者から前記利用者に前記ポイントを両替した金銭が引き渡されなかった場合に、前記ポイント保存手段に保存されたポイントの少なくとも一部を、前記両替者から引き渡されなかった金銭に代えて、前記利用者端末に送信する第２のポイント送信手段と、
を備えることを特徴とするオークションに用いられるＷＷＷサーバ。
【請求項４】
金銭に換えて使用するポイントを送受信することによって運営されるオークションにおいて、前記ポイントを金銭に両替する際に、両替において生じた損失の補填に用いることができるポイントをオークション主催者が両替の手数料として取得することができるオークション主催者の手数料を取得するＷＷＷサーバであって、
前記ポイントを金銭に両替する両替者が操作する両替者端末から、前記利用者端末を操作する利用者から引き渡された金銭を両替したポイントを、前記利用者を特定する情報とともに受信するポイント受信手段と、
前記ポイント受信手段が受信したポイントから、前記オークション主催者の受け取る手数料であって両替において生じた損失の補填に用いることができるポイントを減じたポイントを、前記利用者を特定する情報により特定される前記利用者端末に、前記利用者端末に備えられた前記利用者が落札した商品の代価として落札者から出品者に受け渡すために保有しているポイントを保存するポイント保存部に保存させるために送信するポイント送信手段と、
前記ポイント受信手段が受信したポイントのうち、前記オークションの主催者の受け取る手数料に対応するポイントを、前記オークション主催者が前記両替者端末から取得したポイントを保存するポイント保存部に加算するポイント加算手段と、
前記利用者から両替のための金銭が引き渡されたものの前記両替者端末から前記金銭を両替したポイントが送信されなかった場合に、前記ポイント保存手段に保存されたポイントの少なくとも一部を、前記両替者から送信されなかったポイントに代えて、前記利用者端末に送信する第２のポイント送信手段と、
を備えることを特徴とするオークションに用いられるＷＷＷサーバ。
【発明の詳細な説明】
【０００１】
【発明の属する技術分野】
本発明は、通信回線を介して送受信可能であって金銭に換えて使用されるポイントと金銭との両替を行う際のポイント移行方法、損失補填方法、コンピュータ読取可能な記録媒体、及び、ＷＷＷサーバーに関する。
【０００２】
【従来の技術】
近年、インターネット上でオークションを利用することができるようになっている。オークションにおいて、商品の落札が行われた後は、その商品を出品した出品者と商品を落札した落札者との間で、代金の支払いと商品の受け渡しが行われる。
【０００３】
【発明が解決しようとする課題】
しかし、このようなインターネット上でのオークションにおいては、出品者側には、落札者から代金がきちんと支払われるかという不安があり、落札者側には、出品者から商品がきちんと届くかという不安がある。
そこで、かかる課題を解決すべく、本発明者は、通信回線を介して送受信可能であって金銭に替えて使用されるポイントを用いたオークション方法を発明した。
このようなオークション方法にあっては、得たポイントを金銭に両替すること、及び金銭をポイントに両替することができるようにすることが好ましい。
【０００４】
本発明はこのような課題に着目してなされたものであり、本発明の目的は、ポイントと金銭の両替が行われる際に、オークション主催者が確実に手数料を得ることのできるポイント移行方法、そのようにして得た手数料を活用して、安心してポイントを金銭に両替することができるようにするための損失補填方法、及び、そのようにして得た手数料を活用して、より安心してオークションを利用することのできるようにするための損失補填方法、そのような方法をＷＷＷサーバーに実行させるプログラム記録したコンピュータ読取可能な記録媒体、及び、ＷＷＷサーバーを提供することである。
【０００５】
【課題を解決するための手段】
前記目的を達成するための第１の発明は、通信回線を介して送受信可能であって、オークションにて金銭に換えて使用されるポイントを金銭に両替する際のポイント移行方法において、オークション主催者のＷＷＷサーバーが、（１）利用者端末から両替希望者のポイントを受信し、（２）受信したポイントの一部をポイント保存部に保存し、（３）残りのポイントと前記両替希望者を特定する情報を両替者端末へ送信する、ことを特徴とするポイント移行方法である。
【０００６】
前記目的を達成するための第２の発明は、通信回線を介して送受信可能であって、金銭をオークションにて金銭に換えて使用されるポイントに両替する際のポイント移行方法において、オークション主催者のＷＷＷサーバーが、（１）両替者端末からポイントと両替希望者を特定する情報を受信し、（２）受信したポイントの一部をポイント保存部に保存し、（３）残りのポイントを前記情報により特定された両替希望者の利用者端末へ送信する、ことを特徴とするポイント移行方法である。
【０００７】
前記目的を達成するための第３の発明は、通信回線を介して送受信可能であって、オークションにて金銭に換えて使用されるポイントと金銭との両替を行う際の損失補填方法において、（１）第１又第２の発明により前記ポイント保存部にポイントを保存し、（２）前記両替希望者又は／及び前記両替者に損失が生じた際には、前記オークション主催者のＷＷＷサーバーが、前記ポイント保存部に保存されたポイントの一部を、該損失を補填するために該両替希望者又は／及び該両替者の端末へ送信することを特徴とする損失補填方法である。
【０００８】
前記目的を達成するための第４の発明は、通信回線を介して送受信可能であって金銭に換えて使用されるポイントを用いたオークションにおける損失補填方法において、（１）第１又は第２の発明により前記ポイント保存部にポイントを保存し、（２）オークションにおける落札者に損失が生じた際には、前記オークション主催者のＷＷＷサーバーが、前記ポイント保存部に保存されたポイントの一部を、該損失を補填するために該落札者の利用者端末へ送信することを特徴とするオークションにおける損失補填方法である。
【０００９】
前記目的を達成するための第５の発明は、第１、第２、第３又は第４の発明を、ＷＷＷサーバーに実行させるプログラムを記録した、コンピュータ読取可能な記録媒体である。
【００１０】
前記目的を達成するための第６の発明は、通信回線を介して送受信可能であって金銭に換えて使用されるポイントを送受信するＷＷＷサーバーであって、（１）利用者端末から両替希望者のポイントを受信し、（２）受信したポイントの一部をポイント保存部に保存し、（３）残りのポイントと前記両替希望者を特定する情報を両替者端末へ送信する、ことを特徴とするＷＷＷサーバーである。
【００１１】
前記目的を達成するための第７の発明は、通信回線を介して送受信可能であって金銭に換えて使用されるポイントを送受信するＷＷＷサーバーであって、（１）両替者端末からポイントと両替希望者を特定する情報を受信し、（２）受信したポイントの一部をポイント保存部に保存し、（３）残りのポイントを前記情報により特定された両替希望者の利用者端末へ送信する、ことを特徴とするＷＷＷサーバーである。
【００１２】
前記目的を達成するための第８の発明は、第６又は第７の発明の特徴に加えて、通信回線を介して送受信可能であって金銭に換えて使用されるポイントを送受信するＷＷＷサーバーであって、前記両替希望者又は／及び前記両替者に損失が生じた際には、前記ポイント保存部に保存されたポイントの一部を、該損失を補填するために該両替希望者又は／及び該両替者の利用者端末へ送信することを特徴とするＷＷＷサーバーである。
【００１３】
前記目的を達成するための第９の発明は、第６又は第７の発明の特徴に加えて、通信回線を介して送受信可能であって金銭に換えて使用されるポイントを送受信するＷＷＷサーバーであって、オークションにおける落札者に損失が生じた際には、前記ポイント保存部に保存されたポイントの一部を、該損失を補填するために該落札者の利用者端末へ送信することを特徴とするＷＷＷサーバーである。
【００１４】
【発明の実施の形態】
＝＝＝システム構成＝＝＝
図１は、本実施の形態に係るシステムを示した図である。
図１に示されるように、複数の利用者端末１０ａ、１０ｂ、ＷＷＷサーバー３０、及び、両替者端末４０が、インターネット等の通信回線２０に接続している。なお、通信回線とは、端末間で双方から通信可能な有線又は無線を意味する。また、図１には、一つのＷＷＷサーバー３０及び一つの両替者端末４０のみを記載しているが、複数のＷＷＷサーバー及び複数の両替者端末４０が通信回線に接続していてもよい。
【００１５】
ＷＷＷサーバー３０には、ハイパーテキスト形式で関連づけられたマルチメディア情報を有するＷＷＷページ（不図示）が設けられている。このＷＷＷページは、ＨＴＭＬ(Hyper Text Markup Language)や、ＸＭＬ(Extensible Markup Language)等のマークアップ言語を用いて記述されている。また、ＷＷＷサーバー３０には、ポイントを保存するためのサーバー側ポイント保存部３２が設けられている。ここで、該ポイントは、通信回線を介して送受信可能であって金銭に換えて使用するものである。本実施の形態においては、ＷＷＷサーバー３０を用いてオークションを主催する。
【００１６】
利用者端末１０ａ、１０ｂには、ＷＷＷページを閲覧するためのＷＷＷブラウザ１２ａ、１２ｂがそれぞれ設けられており、利用者は、このＷＷＷブラウザ１２ａ、１２ｂを用いて、種々のＷＷＷサーバー上のＷＷＷページを閲覧することができる。また、利用者端末１０ａ、１０ｂには、通信回線を介して送受信可能なポイントを保存するためのクライアント側ポイント保存部１０ａ、１０ｂが設けられている。
【００１７】
両替者端末４０は、ポイントと金銭の両替を行う両替者が利用するものである。なお、ＷＷＷサーバー３０を運営してオークションを主催する者と、両替者は、同じ者であってもよいが、別の者とした方が、オークション主催者が金銭を管理する必要がない点で有利である。
【００１８】
＝＝＝オークションの処理の流れ＝＝＝
次に本実施の形態におけるオークションの処理の流れを、図２を参照しつつ説明する。図２は、ＷＷＷサーバー３０におけるオークションの処理の流れを示した図である。
【００１９】
オークションに商品を出品したい者がＷＷＷサーバー３０に通信回線２０を介して接続されている利用者端末から、その商品の情報を送信すると、ＷＷＷサーバー３０は、その出品希望の商品に関する情報を受信し（Ｓ２）、受信した商品に関する情報をＷＷＷページ上に掲載する（Ｓ４）。これにより、ＷＷＷページ上に掲載された商品情報は、利用者端末１０ａ、１０ｂに設けられたＷＷＷブラウザ１２ａ、１２ｂにより閲覧可能となる。
【００２０】
商品情報を閲覧してその商品を購入したい者が、その商品に対する提示ポイントの数を、利用者端末１０ａ、１０ｂからＷＷＷサーバー３０へ送信すると、ＷＷＷサーバー３０は、該提示ポイント数を受信する（Ｓ６）。ＷＷＷサーバー３０は、その商品に関して、受信した提示ポイント数のうち最大の提示ポイント数を送信した者を特定し（Ｓ８）、特定された者が、その商品の落札者となる。
【００２１】
このようにして、商品の出品者とその商品の落札者が特定されると、出品者（その商品の情報をＷＷＷサーバー３０に送信した者）と落札者（ＷＷＷサーバー３０により最大の提示ポイント数を送信した者として特定された者）との間で、商品の受け渡しと、ポイントの受け渡しが行われる。利用者端末１０ａから出品者が商品に関する情報を送信し、利用者端末１０ｂから提示ポイントを送信した者が落札者となった場合を例にして、商品の受け渡しと、ポイントの受け渡しについて説明する。
【００２２】
まず、落札者は、利用者端末１０ｂに設けられているクライアント側ポイント保存部１４ｂに保存されているポイントのうち、提示ポイント数分のポイントをＷＷＷサーバー３０へ送信する。この操作により、クライアント側ポイント保存部１４ｂに保存されているポイントは、ＷＷＷサーバー３０へ送信した分だけ減少する。ＷＷＷサーバー３０は、利用者端末１０ｂから送信されたポイントを受信し（Ｓ１０）、該受信後に、落札者からポイントを受信したことを出品者の利用者端末１０ａへ送信する（Ｓ１２）。出品者は、利用者端末１０ａ上で、ＷＷＷサーバー３０が落札者からポイントを受信したことを確認した後、商品を宅配便、郵便等により、落札者へ送付する。
【００２３】
落札者に商品が届くと、落札者は、商品が落札者へ到着したことを示す到着情報を、利用者端末１０ｂからＷＷＷサーバー３０へ送信し、ＷＷＷサーバー３０は、該到着情報を受信する（Ｓ１４）。
【００２４】
ＷＷＷサーバー３０は、該到着情報を受信した後に、Ｓ１０において利用者端末１０ｂから受信したポイントを出品者の利用者端末１０ａへ送信する（Ｓ１６）。送信されたポイントは利用者端末１０ａにより受信され、利用者端末１０ａに設けられたクライアント側ポイント保存部１４ａに保存される。これにより、クライアント側ポイント保存部１４ａ内のポイントは、受信したポイント分だけ増加する。
【００２５】
なお、Ｓ１６においてポイントを送信する際に、落札者の利用者端末１０ｂから受信したポイントの全部を、出品者の利用者端末１０ａへ送信してもよいが、落札者の利用者端末１０ｂから受信したポイントの一部を、出品者の利用者端末１０ａへ送信し、残りのポイントを手数料として、ＷＷＷサーバー３０に設けたれたサーバー側ポイント保存部３２に保存することが好ましい。このようにすることにより、残りのポイントをオークションの主催者が手数料として得ることができる。
【００２６】
以上説明したように、本実施の形態によれば、出品者にとってみれば、利用者端末１０ｂから送信されたポイントがＷＷＷサーバー３０により受信されたことを確認してから商品を落札者へ送付するので、商品を送付したもののポイントが入手できないのではないか等の不安が生じることはない。また、落札者にしてみれば、ＷＷＷサーバー３０が該到着情報を受信してからポイントが出品者の利用者端末１０ａへ送信されるので、商品を入手できずにポイントだけが出品者に渡ってしまうのではないか等の不安が生じることがない。
【００２７】
次に、利用者端末１０ａの利用者から利用者端末１０ｂの利用者へポイントの譲渡が行われる場合を例にとって、オークション参加者間のポイントの譲渡について説明する。
まず、ＷＷＷサーバー３０は、ポイントの譲渡者の利用者端末１０ａからポイントを受信する。ＷＷＷサーバー３０は、受信したポイント一部をＷＷＷサーバー３０内に設けられたサーバー側ポイント保存部３２へ保存し、残りのポイントをポイントの譲受者の利用者端末１０ｂへ送信する。これにより、主催者は、譲渡されるポイントの一部を手数料として得ることができる。
【００２８】
＝＝＝ポイントを金銭に両替する際の処理の流れ＝＝＝
次に、利用者が利用者端末１０ａ、１０ｂ内のクライアント側ポイント保存部１４ａ、１４ｂに保存されたポイントを金銭に両替する際の処理について説明する。
【００２９】
図３は、ＷＷＷサーバー３０における、ポイントを金銭に両替する際の処理の流れを示した図である。利用者端末１０ａ内のクライアント側ポイント保存部１４ａに保存されたポイントを金銭に両替する際の処理を例として説明する。
【００３０】
まず、ポイントを両替したい利用者（両替希望者）は、両替者と連絡を取り、両替者との間で両替条件について合意をとる。両替条件は、１ポイント当たりの金銭額（両替レート）、両替ポイント数等の条件である。両替希望者が両替者と連絡をとる方法としては、直接会う、電話を利用する、電子メールを利用する等の方法がある。
【００３１】
その後、両替希望者は、両替者と合意のとれたポイント数のポイントを、利用者端末１０ａからＷＷＷサーバー３０へ送信し、ＷＷＷサーバー３０は、利用者端末１０ａから両替希望者のポイントを受信する（Ｔ２）。なお、利用者端末１０ａからＷＷＷサーバー３０へポイントを送信すると、送信したポイント数分だけクライアント側ポイント保存部１４ａに保存されたポイントが減少する。
【００３２】
利用者端末１０ａから両替希望者のポイントを受信したＷＷＷサーバー３０は、受信したポイントのうち一部を手数料としてサーバー側ポイント保存部３２に保存し（Ｔ４）、残りのポイントを、両替希望者を特定する情報と共に両替者端末４０へ送信する（Ｔ６）。
【００３３】
両替者は、両替者端末４０上で、残りのポイントと両替希望者を特定する情報を受信したことを確認した後に、予め両替希望者と合意した両替レート等の条件に基づいて金銭を両替希望者へ渡す。両替者から両替希望者へ金銭を渡す方法としては、手渡す、両替希望者の指定する銀行口座へ送金する、現金書留郵便で送付する等の方法がある。
【００３４】
このように、ポイントを金銭に両替する際に、オークション主催者のＷＷＷサーバーが、利用者端末１０ａから両替希望者のポイントを受信し、受信したポイントの一部をサーバー側ポイント保存部３２に保存し、残りのポイントを両替希望者を特定する情報と共に両替者端末４０へ送信するから、オークション主催者は、確実に手数料を取得できる。
【００３５】
さらに、例えば、両替希望者において、利用者端末１０ａからポイントを送信したものの両替者から金銭が送金されない等の損失が生じた際に、ＷＷＷサーバー３０が、ポイント保存部３２に保存されたポイントの一部を、該損失を補填するために両替希望者の利用者端末１０ａへ送信するようにすることも可能である。このような損失補填方法によれば、得た手数料を活用して、両替希望者が安心してポイントを金銭に両替することができるようにすることが可能となる。
【００３６】
また、オークションにおける落札者に出品者から商品が届かない等の損失が生じた際には、ＷＷＷサーバー３０が、サーバー側ポイント保存部３２に保存されたポイントの一部を、該損失を補填するために落札者の利用者端末へ送信することも可能である。このような損失補填方法によれば、得た手数料を活用して、より安心して利用することのできるオークション方法を実現することができる。
【００３７】
＝＝＝金銭をポイントに両替する際の処理の流れ＝＝＝
次に、利用者が金銭をポイントに両替する際の処理について説明する。図４は、ＷＷＷサーバー３０における、金銭をポイントに両替する際の処理の流れを示した図である。利用者が利用者端末１０ａを用いて金銭をポイントに両替する際の処理を例として説明する。
【００３８】
まず、金銭をポイントに両替したい利用者（両替希望者）は、両替者と連絡を取り、両替者との間で両替条件について合意をとる。両替条件は、１ポイント当たりの金銭額（両替レート）、両替ポイント数等の条件である。両替希望者が両替者と連絡をとる方法としては、直接会う、電話を利用する、電子メールを利用する等の方法がある。
【００３９】
その後、両替希望者は、前記合意に基づいて、金銭を両替者に渡す。両替希望者から両替者へ金銭を渡す方法としては、手渡す、両替者の指定する銀行口座へ送金する、現金書留郵便で送付する等の方法がある。
【００４０】
両替者は、両替希望者と合意のとれたポイント数のポイントと両替希望者を特定する情報を、両替者端末４０からＷＷＷサーバー３０へ送信し、ＷＷＷサーバー３０は、両替者端末４０からポイントと両替希望者を特定する情報を受信する（Ｕ２）。なお、両替者端末４０からＷＷＷサーバー３０へポイントを送信すると、送信したポイント数分だけ両替者の有するポイントが減少する。
【００４１】
両替者端末４０からポイントを受信したＷＷＷサーバー３０は、受信したポイントのうち一部を手数料としてサーバー側ポイント保存部３２に保存し（Ｕ４）、残りのポイントを、前記両替希望者を特定する情報により特定された両替希望者の利用者端末１０ａへ送信する（Ｕ６）。
【００４２】
利用者端末１０ａによって受信されたポイントは、利用者端末１０ａのクライアント側ポイント保存部１４ａに保存される。これにより、両替希望者は、両替者に支払った金銭と引き替えにポイントを取得することができる。
【００４３】
このように、金銭をポイントに両替する際に、オークション主催者のＷＷＷサーバー３０が、両替者端末４０からポイントと両替希望者を特定する情報を受信し、受信したポイントの一部をポイント保存部３２に保存し、残りのポイントを前記情報により特定された両替希望者の利用者端末１０ａへ送信するから、オークション主催者は、確実に手数料を取得できる。
【００４４】
さらに、例えば、両替希望者が両替者に金銭を支払ったにもかかわらず、両替者端末４０からポイントが送信されないために両替希望者がポイントを得られない等の損失が生じた際に、ＷＷＷサーバー３０が、ポイント保存部３２に保存されたポイントの一部を、該損失を補填するために両替希望者の利用者端末１０ａへ送信するようにすることも可能である。このような損失補填方法によれば、得た手数料を活用して、両替希望者が安心して金銭をポイントに両替することができるようにすることが可能となる。
【００４５】
また、オークションにおける落札者に出品者から商品が届かない等の損失が生じた際には、ＷＷＷサーバー３０が、サーバー側ポイント保存部３２に保存されたポイントの一部を、該損失を補填するために落札者の利用者端末へ送信することも可能である。このような損失補填方法によれば、得た手数料を活用して、より安心して利用することのできるオークション方法を実現することができる。
【００４６】
以上説明した方法に対して、両替希望者と両替者が直接ポイントと金銭の取引を行う方法を採用した場合、オークション主催者が手数料としてのポイントを得ることはできない。また、両替希望者と両替者が両替行為を行った際に、両替ポイントの一部をオークション主催者へ送信するように取り決めるという方法もあるが、そのような方法では、両替時にポイントがオークション主催者のＷＷＷサーバー３０を通過しないため、確実に手数料を得るという観点からは、本実施の形態に係る方法に劣ることは明らかである。
【００４７】
また、以上説明した処理方法をＷＷＷサーバー３０に対して実行させるプログラムを、コンピュータ読取可能な記録媒体に記録することも可能である。
【００４８】
【発明の効果】
第１の発明によれば、両替希望者がポイントを金銭に両替する際に、オークション主催者が、確実に手数料を取得できる。
第２の発明によれば、両替希望者が金銭をポイントに両替する際に、オークション主催者が、確実に手数料を取得できる。
第３の発明によれば、第１又は第２の発明による効果に加えて、オークション主催者が得た手数料を活用して両替希望者又は／及び両替者の損失が補填されるから、が安心してポイントを両替することができる。
第４の発明によれば、第１又は第２の発明による効果に加えて、オークション主催者が得た手数料を活用して落札者の損失が補填されるから、より安心して利用することのできるオークションを実現することができる。
【００４９】
第５の発明によれば、第１乃至第４の発明の効果をＷＷＷサーバーに奏さしめるコンピュータ読取可能な記録媒体を提供できる。
第６の発明によれば、両替希望者がポイントを金銭に両替する際に、オークション主催者が、確実に手数料を取得できる。
第７の発明によれば、両替希望者が金銭をポイントに両替する際に、オークション主催者が、確実に手数料を取得できる。
【００５０】
第８の発明によれば、第６又は第７の発明による効果に加えて、オークション主催者が得た手数料を活用して両替希望者又は／及び両替者の損失が補填されるから、が安心してポイントを両替することができる。
【００５１】
第９の発明によれば、第６又は第７の発明による効果に加えて、オークション主催者が得た手数料を活用して落札者の損失が補填されるから、より安心して利用することのできるオークションを実現することができる。
【図面の簡単な説明】
【図１】本実施の形態に係るシステムを示した図である。
【図２】ＷＷＷサーバーにおけるオークションの処理の流れを示した図である。
【図３】ポイントを金銭に両替する際の処理の流れを示した図である。
【図４】金銭をポイントに両替する際の処理の流れを示した図である。
【符号の説明】
１０ａ、１０ｂ  利用者端末
１２ａ、１２ｂ  ＷＷＷブラウザ
１４ａ、１４ｂ  クライアント側ポイント保存部
２０  通信回線
３０  ＷＷＷサーバー
３２  サーバー側ポイント保存部
４０  両替者端末
【図１】
0004514079.tif 000002
【図２】
0004514079.tif 000003
【図３】
0004514079.tif 000004
【図４】
0004514079.tif 000005